(57)【要約】      （修正有）【課題】費用面の負担が小さく、取り扱いが容易でありながら、照度が低い操作ボタンの視認性や操作性を改善するエレベータの乗りかごの操作ボタンを提供する。【解決手段】操作ボタンのボタントップ１１と光源部１６３の中間に蓄光シート１５を備える。【選択図】図１
0003202179.tif 000002
【実用新案登録請求の範囲】
【請求項１】
透光性を有する素材で成型された行先階を示すボタントップと、
利用者による前記ボタントップの押圧を検知して、行先階に着床するまでの間、該ボタントップを照射する光源部と、
を、含んで構成されるエレベータの乗りかごの操作ボタンであって、
前記ボタントップと前記光源部の中間に蓄光シートを具備することを特徴とするエレベータの乗りかごの操作ボタン。
【請求項２】
前記蓄光シートの発光色はライトグリーンであって、該蓄光シートと前記ボタントップの中間にオレンジ色のフィルムと乳白色のフィルムを具備し、該ボタントップの発光色がオレンジ色であることを特徴とする請求項１記載のエレベータの乗りかごの操作ボタン。
【請求項３】
前記蓄光シートの発光色はライトグリーンであって、該蓄光シートと前記ボタントップの中間に灰色のフィルム２枚と乳白色のフィルム１枚を具備し、該ボタントップの発光色が白色であることを特徴とする請求項１記載のエレベータの乗りかごの操作ボタン。
【請求項４】
前記蓄光シートは、前記複数のフィルムより前記ボタントップ側に位置することを特徴とする請求項２又は３記載のエレベータの乗りかごの操作ボタン。
【考案の詳細な説明】
【技術分野】
【０００１】
本考案は、エレベータの乗りかごの操作ボタンに関する。
【背景技術】
【０００２】
従来から、照度が低いエレベータの乗りかごにおける操作ボタンの視認性や操作性を改善するために各種の提案がなされている。
【０００３】
特開平０８−３１０７５１では、かご乗客検出装置で乗客を検出したが、かご呼びが発生していないとき、かご呼びボタンを押してもらうべく、かご呼び装置の位置を知らせるため、かご呼び装置が発光するように構成する技術が提案されている。
【０００４】
また、特開２０１１−１４３９９４では、紫外線を光源としてボタントップを照光し、かつ殺菌する技術提案において、ボタントップを形成する透過性材料に蛍光剤を混入する技術が提案されている。
【先行技術文献】
【特許文献】
【０００５】
【特許文献１】特開平０８−３１０７５１
【特許文献２】特開２０１１−１４３９９４
【考案の概要】
【考案が解決しようとする課題】
【０００６】
エレベータの乗りかご内の照明は、建造物の用途により照度（明るさ）の設定が大きく異なっている。たとえば、オフィスビルやマンション、商業施設等では、実用性を重視するために照度が高く設定されている。一方、雰囲気を重視するホテル等の建物では、照度が低く設定されている。そのため、利用者は乗りかご内の操作盤におけるボタンの操作に不便を感じることがある。
【０００７】
図５は、一般的なエレベータの乗りかご３を内部側から説明する図である。乗りかご３は、照明３１１が組み込まれた天井３１、側板３２、利用者が出入りする扉３３、床３４、操作盤２を支持する操作盤支持板３５等で構成されている。また、操作盤２には、行先階の予約を操作する操作ボタン１、現在の乗りかご３が位置する階数をモニタ等に表示する階数表示部２１、乗りかご３の内部で利用者が扉の開閉を制御する開扉ボタン２２及び閉扉ボタン２３等が設置されている。
【０００８】
利用者は、図示しないエレベータホールの乗降口から扉３３を経由して乗りかご３に乗ると、操作盤２に配置された各階の操作ボタン１のうち、利用者が目的とする行先階を示す操作ボタン１を選択して押下する。選択された操作ボタン１は、乗りかご３を所定の行先階に着床させるように制御を行う。
【０００９】
図６は、従来技術による操作ボタン１の構成を説明する断面図である。操作ボタン１は、透過性を有する素材で成型されたボタントップ１１、操作子１２、フィルム群１３、透明アクリル板１４、基盤１６、カバー１７、箱体１８等で構成されている。基盤１６には、スイッチ１６１、コネクタ１６２、発光ダイオード（ＬＥＤ）等による光源部１６３等が組み込まれている。
【００１０】
なお、ボタントップ１１、操作子１２、フィルム群１３、透明アクリル板１４は、一体となって動作する。すなわち、ボタントップ１１と操作子１２の間に、フィルム群１３と透明アクリル板１４を挟持した状態で、図示しない螺子等により固定される。なお、フィルム群１３は、乳白フィルムや拡散板、色フィルム等で構成されている。
【００１１】
利用者が目的とする行先階の操作ボタン１のボタントップ１１を押下すると、ボタントップ１１と一体となった操作子１２が箱体１８の内側に沿って摺動して、基盤１６が備えるスイッチ１６１をオンにする。これによりコネクタ１６２が乗りかご３を制御する乗りかご３の制御部（図示しない）にその行先階に停止させるべく信号を送信するとともに、ＬＥＤ等の光源部１６３が発光する。ボタントップ１１は透過性を有する素材で成型されているため光源部１６３からの照射を受けて点灯して、利用者に乗りかご３がその行先階への着床が予約されたことを知らせる。なお、ボタントップ１１と一体となった操作子１２は、スイッチ１６１をオンにした後、図示しないバネ等の構造により元の位置に戻される。
【００１２】
その後、乗りかご３が行先階に到着すると、乗りかご３の制御部（図示しない）からコネクタ１６２にスイッチ１６１をオフにする信号が送られ、光源部１６３の発光を停止することでボタントップ１１は非点灯となる。これにより、利用者が乗りかご３にいる間は、照度が低く設定されたホテル等のエレベータの乗りかご３であっても、ボタントップ１１の点灯により、操作盤２の周辺に一定の明るさが確保される。
【００１３】
しかしながら、利用者が誰もいないエレベータの乗りかご３に乗ったときには、通常は行先階の操作ボタン１がすべて非点灯であることから、操作盤２の周辺の照度は低く、目的とする行先階の操作ボタン１を選択するときに視認しづらいといった問題がある。
【００１４】
そのため、上述したように、照度の低い乗りかご内の操作盤におけるボタン操作の視認性や操作性を改善させるための各種提案がなされているが、未だ解決されたとはいえない。
【００１５】
特許文献１（特開平０８−３１０７５１）では、エレベータの乗りかご内に備えたかご乗客検出装置により乗りかごへの乗客の乗り込みを検知して、操作盤の押しボタンを押下してもらうべく操作盤周辺を発光させる技術を提案している。しかしながら、新たにかご乗客検出装置や操作盤周辺を発光させる装置をエレベータに設置する必要があり、費用面の負担が大きいという問題がある。
【００１６】
特許文献２（特開２０１１−１４３９９４）では、押しボタンの透過性材料に蛍光剤を混入することで、ボタン操作の視認性や操作性を改善させることとしている。しかしながら、ボタントップの成型材料に蛍光剤を混入させるためには、一定量を成型しなければならず、費用面の負担が大きい。また、色彩のバリエーションを増やす場合にも、各色ごとに成型しなければならず、容易に対応できないという問題もある。
【００１７】
本考案はこのような問題点に鑑みてなされたものであり、操作ボタンのボタントップと光源部の中間に蓄光シートを備えることで、費用面の負担が小さく、取り扱いが容易でありながら、照度が低いエレベータの乗りかごにおける操作ボタンの視認性や操作性を改善したエレベータの乗りかごの操作ボタンを提供することを目的とする。
【課題を解決するための手段】
【００１８】
本考案のエレベータの乗りかごの操作ボタンは、透光性を有する素材で成型された行先階を示すボタントップと、利用者による前記ボタントップの押圧を検知して、行先階に着床するまでの間、該ボタントップを照射する光源部と、を、含んで構成されるエレベータの乗りかごの操作ボタンであって、前記ボタントップと前記光源部の中間に蓄光シートを具備することを特徴とする。
【００１９】
これにより、行先階に着床するまでの間、光源部により蓄光シートが蓄光されるので、行先階に着床して光源部が非点灯になった後も蓄光シートによるボタントップの点灯が継続し、エレベータの乗りかごの操作ボタン周辺の照度を確保することができる。
【００２０】
また、本考案のエレベータの乗りかごの操作ボタンにおいて、前記蓄光シートの発光色はライトグリーンであって、該蓄光シートと前記ボタントップの中間にオレンジ色と乳白色のフィルムを具備し、該ボタントップの発光色がオレンジ色であることを特徴とする。
【００２１】
さらに、本考案のエレベータの乗りかごの操作ボタンにおいて、前記蓄光シートの発光色はライトグリーンであって、該蓄光シートと前記ボタントップの中間に灰色のフィルム２枚と乳白色のフィルム１枚を具備し、該ボタントップの発光色が白色であることを特徴とする。
【００２２】
他にも、本考案のエレベータの乗りかごの操作ボタンにおいて、前記蓄光シートは、前記複数のフィルムより前記ボタントップ側に位置することを特徴とする。
【００２３】
これにより、着床の予約のための光源部による点灯ではフィルムを透過して発光色がオレンジ色又は白色であるのに対し、操作ボタン周辺の照度を確保するための蓄光シートによる点灯では、フィルムを透過せずに蓄光シートの色彩による発光になるので、ボタントップの発光がどちらの点灯なのか、容易に判断することができる。
【考案の効果】
【００２４】
以上説明したように、本考案のエレベータの乗りかごの操作ボタンによれば、操作ボタンのボタントップと光源部の中間に蓄光シートを備えることで、費用面の負担が小さく、取り扱いが容易でありながら、照度が低いエレベータの乗りかごにおける操作盤の操作ボタンの視認性や操作性を改善することができる。
【図面の簡単な説明】
【００２５】
【図１】第１の実施形態における操作ボタン１の構成を説明する断面図である。
【図２】第１の実施形態における操作ボタン１のボタントップ１１及びフィルム群１３の構成を示す断面図である。
【図３】第２の実施形態における操作ボタン１のボタントップ１１及びフィルム群１３の構成を示す断面図である。
【図４】第３の実施形態における操作ボタン１の構成を説明する断面図である。
【図５】従来技術である一般的なエレベータの乗りかご３を内部側から説明する図である。
【図６】従来技術による操作ボタン１の構成を説明する断面図である。
【考案を実施するための形態】
【００２６】
以下、本考案のエレベータの乗りかごの操作ボタンにおける第１の実施形態について説明する。本実施形態におけるエレベータは、ホテル等の雰囲気を重視する施設に設置されるエレベータであり、図５に示す乗りかご３が備える照明３１１は、雰囲気を重視するために照度が低く設定されている。操作盤支持板３５の操作盤２には、本実施形態にかかる操作ボタン１が取り付けられている。
【００２７】
図１は、第１の実施形態にかかるエレベータの乗りかごの操作ボタンの構成を説明する断面図である。操作ボタン１は、透過素材で成型されたボタントップ１１、操作子１２、フィルム群１３、透明アクリル板１４、蓄光シート１５、基盤１６、カバー１７、箱体１８等で構成されている。また、基盤１６には、スイッチ１６１、コネクタ１６２、発光ダイオード（ＬＥＤ）等による光源部１６３等が組み込まれている。
【００２８】
なお、ボタントップ１１、操作子１２、フィルム群１３、透明アクリル板１４、蓄光シート１５は、一体となって動作する。
【００２９】
図２にその構成例を示す。ボタントップ１１側から、フィルム群１３、蓄光シート１５、透明アクリル板１４、操作子１２の順に位置し、図示しない螺子等によりそれぞれ固定される。なお、本実施形態において、ボタントップ１１は、白色のアクリル板で成型された２枚のスペーサー１１２で透明のアクリル板で成型された行先階表示部１１１を挟着した構造になっている。また、フィルム群１３は、乳白フィルム１３１、拡散板１３２、色フィルム１３３の三層で構成されている。
【００３０】
本実施形態にかかる操作ボタン１は、利用者が目的とする行先階の操作ボタン１のボタントップ１１を押下すると、ボタントップ１１と一体となった操作子１２が箱体１８の内側に沿って摺動して、基盤１６が備えるスイッチ１６１をオンにする。これによりコネクタ１６２が乗りかご３を制御する乗りかご３の制御部（図示しない）にその行先階に着床させる信号を送信するとともに、ＬＥＤ等の光源部１６３が発光する。ボタントップ１１の行先階表示部１１１は透明のアクリル板で成型されているため、光源部１６３からの照射を受けて点灯して、利用者に乗りかご３がその行先階への着床が予約されたことを知らせる。なお、ボタントップ１１と一体となった操作子１２は、スイッチ１６１をオンにした後、図示しないバネ等の構造により元の位置に戻される。
【００３１】
その後、乗りかご３が行先階に到着すると、乗りかご３の制御部（図示しない）からコネクタ１６２にスイッチ１６１をオフにする信号が送られ、光源部１６３の発光を停止する。
【００３２】
利用者が選択した所定の行先階の操作ボタン１には、光源部１６３とボタントップ１１の間に蓄光シート１５が配置されており、行先階の操作ボタン１を選択してから行先階に到着するまでの間、光源部１６３からの照射により蓄光される。
【００３３】
そのため、乗りかご３が行先階に到着して光源部１６３の発光を停止した後も、一定の時間、蓄光した蓄光シート１５の発光によりボタントップ１１の点灯を継続する。具体的には、ボタントップ１１の行先階表示部１１１は透明のアクリル板で成型されているので、蓄光シート１５が放つ光を透過して点灯した状態が維持される。
【００３４】
なお、ここで使用する蓄光シート１５は市販される高輝度の蓄光シートでよいが、ＪＩＳ  Ｚ９１０７(安全標識  性能分析  性能基準及び試験方法)  副分類ＪＣ規格以上のものが好ましい。ＪＩＳ  Ｚ９１０７(安全標識  性能分析  性能基準及び試験方法)  副分類ＪＣ規格の蓄光シートであれば、エレベータの平均所用時間と推定される約３０秒間の蓄光の後、６０〜１２０秒程度の間の発光が継続される。より正確には、徐々に照度（明るさ）を落としながら１０分程度が経過した後に非点灯の状態になる。
【００３５】
ここで、本実施形態において、蓄光シート１５には一般に市販されるライトグリーンに発光するものを使用するとともに、フィルム群１３を備えてボタントップ１１を透過する光の色を調整する。本実施形態では、一般的なエレベータの操作ボタンに採用される淡黄色（オレンジ）とするため、フィルム群１３に対応する色フィルムを配置する。
【００３６】
具体的には、淡黄色（オレンジ）の発光を実現するために、フィルム群１３の色フィルム１３３に、たとえば「東京舞台照明  ポリカラーＮｏ．３４」等のオレンジ色のフィルムを配置する。なお、乳白フィルム１３１には、たとえば「東レ  乳白ポリエステルフィルムＸ２１」を、拡散板１３２には、たとえば「日東樹脂工業  クラレックスＤＲ−８５Ｃ」等を、それぞれ使用する。
【００３７】
なお、光源部１６３による操作ボタン１の点灯と、蓄光シート１５による操作ボタンの点灯とでは、その点灯の状態が異なる。すなわち、蓄光シート１５の発光は蓄光によるものなので、ＬＥＤ等の光源部１６３による照射と比較して、その照度（明るさ）が低くなっている。これにより利用者は、その行先階への着床が予約されたことによる点灯なのか、操作盤２周辺の照度を確保するための点灯なのかを判断することができる。なお、操作ボタン１で予約された行先階に着床した後に新しい利用者が乗ってくるため、通常は乗り込んだ階を示す操作ボタン１が点灯されている。そのため、着床の予約のための点灯と誤認することはない。
【００３８】
［第２の実施形態］
次に、第２の実施形態について説明する。第２の実施形態の全体構成は第１の実施形態と同じであるが、ボタントップ１１の発光が淡黄色（オレンジ）色ではなく、白色である点が異なる。
【００３９】
図３にその構成例を示す。本実施形態では、白色の発光を実現するために、加法混色により灰色と乳白色のフィルムを配置する。具体的には、フィルム群１３の色フィルム１３３に、たとえば「東京舞台照明  ポリカラーＮｏ．９２５」等の灰色のフィルムを２枚配置する。
【００４０】
これにより、ボタントップ１１の発光を、淡黄色（オレンジ）色と同様に一般的なエレベータの操作ボタンに採用される白色とすることができる。
【００４１】
［第３の実施形態］
次に、第３の実施形態について説明する。第３の実施形態の全体構成は第２の実施形態と同じであるが、フィルム群１３と蓄光シート１５の位置が逆である点が異なる。
【００４２】
図４にその構成例を示す。本実施形態では、蓄光シート１５がフィルム群１３よりボタントップ１１側に位置している。そのため、着床の予約のための点灯では、光源部１６３からの発光はフィルム群１３を透過するが、蓄光シート１５からの発光はフィルム群１３を透過しない。
【００４３】
そうすると、光源部１６３からの発光は、フィルム群１３の色フィルム１３３に配置した灰色のフィルム２枚等による補正がなされて、ボタントップ１１は白色に発光する。一方、蓄光シート１５による発光では、フィルム群１３の色フィルム１３３による補正がなされないので、ボタントップ１１は蓄光シート１５の本来の色（たとえばライトグリーン）に発光する。
【００４４】
これにより利用者は、ボタントップ１１の発光が着床の予約のための点灯なのか、操作盤２周辺の照度を確保するための点灯なのかを、より明確に判断することができる。
【００４５】
なお、フィルム群１３の色フィルム１３３にオレンジ色のフィルムを配置することで、光源部１６３からの発光を淡黄色（オレンジ）にすることもできる。
【００４６】
以上のように、本実施形態のエレベータの乗りかごの操作ボタンによれば、既成の操作ボタンのボタントップと光源部の中間に蓄光シートを備えることで、費用面の負担が小さく、取り扱いが容易でありながら、照度が低いエレベータの乗りかごにおける操作ボタンの視認性や操作性を大きく改善することができる。
【００４７】
また、使用する色フィルム１３３の種類の変更により、その発光色を自由に変更することができるので、乗りかご内の改装などにも柔軟に対応することができる。
【００４８】
なお、本実施形態において、色フィルム１３３の組み合わせにより発光色を白色または淡黄色（オレンジ）に調整することとしたが、光源部１６３の発光ダイオード（ＬＥＤ）の色等で調整することもできる。
【符号の説明】
【００４９】
１  操作ボタン
２  操作盤
３  乗りかご
１１  ボタントップ
１２  操作子
１３  フィルム群
１４  透明アクリル板
１５  蓄光シート
１６  基盤
１７  カバー
１８  箱体
２１  階数表示部
２２  開扉ボタン
２３  閉扉ボタン
３１  天井
３２  側板
３３  床
１１１  表示ボタン
１１２  スペーサー
１３１  乳白フィルム
１３２  拡散板
１３３  色フィルム
１６１  スイッチ
１６２  コネクタ
１６３  光源部
３１１  照明
【図１】
0003202179.tif 000003
【図２】
0003202179.tif 000004
【図３】
0003202179.tif 000005
【図４】
0003202179.tif 000006
【図５】
0003202179.tif 000007
【図６】
0003202179.tif 000008